(57)【要約】  セキュリティ文書を形成する方法が提供される。この方法は、セキュリティ文書基材を提供するステップであって、セキュリティ文書基質は、カラーシフト要素と、カラーシフト要素の少なくとも一部を覆う光制御層とを備えるセキュリティ手段を備え、光制御層は、カラーシフト要素からの光の角度を変更して第１の光学的効果を生じさせる１つ又は複数の隆起部及び陥凹部を備える表面構造を有する、ステップと、第１の光学的効果とは異なる第２の光学的効果が生じるように、光制御層の一部を選択的に変更するステップと、を含む。
2020508898.tif 000002
【特許請求の範囲】
【請求項１】
セキュリティ文書を形成する方法であって、
（ｉ）セキュリティ文書基材を提供するステップであって、前記セキュリティ文書基材は、カラーシフト要素と、該カラーシフト要素の少なくとも一部を覆う光制御層とを有するセキュリティ手段を具備するステップにおいて、前記光制御層は、前記カラーシフト要素からの光の角度を変更して第１の光学的効果を生じさせる１つ又は複数の隆起部及び陥凹部を具備する表面構造を有する、ステップと、
（ｉｉ）前記第１の光学的効果とは異なる第２の光学的効果が生じるように前記光制御層の一部を選択的に変更するステップと、
を含む方法。
【請求項２】
少なくとも１つの視野角にて、前記第１の光学的効果は第１の色を示し、前記第２の光学的効果は前記第１の色とは異なる第２の色を示す、請求項１に記載の方法。
【請求項３】
前記第２の光学的効果は光制御層が存在しない場合に前記カラーシフト要素によって生じる光学的効果である、請求項１又は２に記載の方法。
【請求項４】
前記選択的に変更するステップは前記光制御層の一部に材料を導入するステップを含む、請求項１〜３の何れか一項に記載の方法。
【請求項５】
前記材料は前記光制御層の前記表面構造の少なくとも１つの陥凹部に導入される、請求項４に記載の方法。
【請求項６】
前記材料は前記光制御層の屈折率と実質的に同一の屈折率を有する、請求項４又は５に記載の方法。
【請求項７】
前記材料は印刷可能な樹脂である、請求項４〜６の何れか一項に記載の方法。
【請求項８】
前記印刷可能な樹脂は、デジタル印刷、好ましくはインクジェット印刷又はレーザ印刷によって前記光制御層の一部に選択的に導入される、請求項７に記載の方法。
【請求項９】
前記材料はワニスである、請求項４〜８の何れか一項に記載の方法。
【請求項１０】
前記ワニスは、フレキソ印刷、平版印刷又はスクリーン印刷のうちの１つによって塗布される、請求項９に記載の方法。
【請求項１１】
前記選択的に変更するステップは、前記光制御層の少なくとも一部を除去するステップであって、その結果、前記セキュリティ手段のその部分には光制御層が存在しないステップを含む、請求項１〜１０の何れか一項に記載の方法。
【請求項１２】
前記選択的に変更するステップは前記光制御層の少なくとも一部を変形するステップを含む、請求項１〜１１の何れか一項に記載の方法。
【請求項１３】
前記光制御層の平坦領域を形成するように前記光制御層の表面の少なくとも１つの隆起部が変形され、前記セキュリティ文書の前記平坦領域にて前記第２の光学的効果が、光制御層がない場合に前記カラーシフト要素によって生じる光学的効果となる、請求項１２に記載の方法。
【請求項１４】
前記光制御層は熱変換性材料を含む、請求項１１〜１３の何れか一項に記載の方法。
【請求項１５】
前記選択的に変更するステップは熱エネルギーを前記熱変換性材料に付与するステップを含む、請求項１４に記載の方法。
【請求項１６】
前記熱エネルギーは放射源によって付与される、請求項１５に記載の方法。
【請求項１７】
前記放射源はレーザである、請求項１６に記載の方法。
【請求項１８】
前記熱エネルギーは、付与対象部材、好ましくは線形エンボス加工用ダイ又は回転エンボス加工用ダイとの熱伝導によって付与される、請求項１５に記載の方法。
【請求項１９】
前記光制御層は、エンボス加工、押出し加工又は鋳造硬化のうちの１つによって形成される請求項１〜１８の何れか一項に記載の方法。
【請求項２０】
前記光制御層がポリマーを含む請求項１〜１９の何れか一項に記載の方法。
【請求項２１】
前記第１及び第２の光学的効果は可変光学的効果である、請求項１〜２０の何れか一項に記載の方法。
【請求項２２】
前記光制御層はマイクロプリズム構造を具備し、前記マイクロプリズム構造は複数のマイクロプリズムを具備する、請求項１〜２１の何れか一項に記載の方法。
【請求項２３】
前記マイクロプリズム構造は線形マイクロプリズムの配列を具備する、請求項２２に記載の方法。
【請求項２４】
前記マイクロプリズム構造は２つ以上の線形マイクロプリズムの配列を具備し、一方の配列の長軸が他方の配列の軸から角度的にずれている、請求項２３に記載の方法。
【請求項２５】
前記マイクロプリズムは非対称構造を有する、請求項２２〜２４の何れか一項に記載の方法。
【請求項２６】
前記マイクロプリズムは反復ファセット構造を有する、請求項２２〜２５の何れか一項に記載の方法。
【請求項２７】
前記マイクロプリズム構造は一次元マイクロプリズム構造である、請求項２２〜２６の何れか一項に記載の方法。
【請求項２８】
前記マイクロプリズム構造は二次元マイクロプリズム構造である、請求項２２に記載の方法。
【請求項２９】
前記マイクロプリズム構造はピラミッド構造を含む、請求項２８に記載の方法。
【請求項３０】
前記光制御層は曲面構造を有するレンズ状配列を含む、請求項１〜２１の何れか一項に記載の方法。
【請求項３１】
前記光制御層は該光制御層の上に証印を形成するように選択的に変更される、請求項１〜３０の何れか一項に記載の方法。
【請求項３２】
前記光制御層は前記セキュリティ文書に関連するパターンを形成するように選択的に変更される、請求項３１に記載の方法。
【請求項３３】
パターンが前記セキュリティ文書に固有のものである、請求項３２に記載の方法。
【請求項３４】
前記光制御層は前記セキュリティ文書の所有者に関連する生体認証データを規定するように選択的に変更される、請求項３１〜３３の何れか一項に記載の方法。
【請求項３５】
前記光制御層は前記光制御層の第１及び第２の領域を形成するように選択的に変更され、前記第１及び第２の領域は異なる光学的効果を提供する、請求項１〜３４の何れか一項に記載の方法。
【請求項３６】
前記セキュリティ文書は、パスポート、紙幣、セキュリティラベル、身分証明書、運転免許証又は他の有用な文書である、請求項１〜３５の何れか一項に記載の方法。
【請求項３７】
前記セキュリティ文書は固有のものである、請求項３６に記載の方法。
【請求項３８】
少なくとも１つの仕上げ工程を実施するステップをさらに含む、請求項１〜３７の何れか一項に記載の方法。
【請求項３９】
前記セキュリティ手段は、前記光制御層に対して前記カラーシフト要素の遠位側に位置決めされ、前記カラーシフト要素を透過した光を少なくとも部分的に吸収するように動作可能な吸収要素をさらに具備する、請求項１〜３８の何れか一項に記載の方法。
【請求項４０】
前記カラーシフト要素は、フォトニック結晶構造、液晶材料、干渉顔料、真珠光沢顔料、構造化干渉材料又はブラッグスタックのような薄膜干渉構造のうちの１つを具備する、請求項１〜３９の何れか一項に記載の方法。
【請求項４１】
請求項１〜４０の何れか一項に記載の方法によって形成されたセキュリティ文書。
【請求項４２】
前記光制御層は前記セキュリティ文書に固有の証印を形成するように選択的に変更される、請求項４１に記載のセキュリティ文書。
【請求項４３】
前記セキュリティ文書はパスポートであり、前記光制御層は前記パスポートの保有者に関する生体認証データを規定するように選択的に変更される、請求項４１又は４２に記載のセキュリティ文書。
【請求項４４】
前記セキュリティ手段は、前記セキュリティ文書基材と一体化されたセキュリティスレッドであり、前記セキュリティ文書基材は、少なくとも１つの表面上に、前記セキュリティスレッドが基材表面で露出される少なくとも１つの窓付き領域と、前記セキュリティスレッドが露出されていない少なくとも１つの領域とを有し、前記光制御層は、前記セキュリティスレッドの上に証印を形成するように選択的に変更される、請求項４１に記載のセキュリティ文書。
【請求項４５】
前記セキュリティ文書は、パスポート、紙幣、セキュリティラベル、身分証明書、運転免許証又は他の有用な文書である、請求項４２に記載のセキュリティ文書。
【発明の詳細な説明】
【技術分野】
【０００１】
本発明は、セキュリティ文書を形成する方法、特に個人情報を含むセキュリティ文書を形成する方法に関する。
【背景技術】
【０００２】
偽造を防止し、真正性の確認を可能にするために、セキュリティ文書は通常、コピー機、スキャナ又は市販のプリンタなどの一般に利用可能な手段によって正確に複製することが困難であるか不可能な１つ又は複数のセキュリティ手段を備える。固有のセキュリティ手段を含む「個人化された」セキュリティ文書が、セキュリティをさらに強化する。しかし、完成したセキュリティ文書に埋設するための多数の固有のセキュリティ手段を製造することには、費用も時間もかかる。
【０００３】
周知のタイプのセキュリティ手段の１つには、偽造するのが困難である光学的可変効果を生じさせるためにカラーシフト要素を使用するものが挙げられる。そのようなカラーシフト要素は、視野角に応じて変化する着色された外観を生じさせる。既知のカラーシフト構造の例には、フォトニック結晶、液晶、干渉顔料、真珠光沢顔料、構造化干渉材料、あるいはブラッグスタック（Ｂｒａｇｇ ｓｔａｃｋｓ）を含む薄膜干渉構造が挙げられる。
【０００４】
このほか、カラーシフト要素によって生じる光学的効果は、カラーシフト要素上に表面レリーフを含むフィルムを導入することによって変更することができることが当技術分野にて公知である。ここで、表面レリーフは、目視者に異なる光学的効果を提供するように、カラーシフト要素に入射し、同要素から反射する光の角度を変更する。例えば、そのような付加の「光制御」層は、手段に対して通常の視野角に近づくほど視認できるカラーシフト効果を生じさせ、単独のカラーシフト要素と比較して、手段を傾けると見える色が多くなるようにしてもよい。
【０００５】
これまで考察したように、セキュリティ手段で使用するカラーシフト要素をどのように製造し制御するかは当技術分野において公知である。しかし、カラーシフト要素の効果を利用するがセキュリティ文書の個人化を効率的なものにすることも可能にする新たなセキュリティ文書形成方法を提供することが望ましい。
【先行技術文献】
【特許文献】
【０００６】
【特許文献１】国際公開第２０１５／１４０７６８号
【発明の概要】
【０００７】
本発明の第１の態様によれば、セキュリティ文書を形成する方法が提供される。この方法は、（ｉ）セキュリティ文書基材を提供するステップであって、セキュリティ文書基材は、カラーシフト要素と、カラーシフト要素の少なくとも一部を覆う光制御層とを備えるセキュリティ手段を備え、光制御層は、カラーシフト要素からの光の角度を変更して第１の光学的効果を生じさせる１つ又は複数の隆起部及び陥凹部を備える表面構造を有する、ステップと、（ｉｉ）第１の光学的効果とは異なる第２の光学的効果を生じさせるように、光制御層の一部を選択的に変更するステップと、を含む。
【０００８】
セキュリティ文書の個人化の提供又は固有のセキュリティ文書の提供に関連して上記の問題に対処する際に、光制御層の表面構造の三次元的性質を利用して、セキュリティ文書基材にすでに組み込まれているそのような光制御層を備えるセキュリティ手段の特性を制御することができることが認識されている。例えば、この方法は、後にセキュリティ文書に組み入れなければならない多数の異なるセキュリティ手段を個々に製造する必要がなく、組み入れられたセキュリティ手段の光制御層を選択的に変更することによって、多数のセキュリティ文書基材を個別に個人化できるようにする。
【０００９】
「カラーシフト要素」という表現は、入射光を選択的に反射又は透過させて光学的可変効果、特に角度依存性の有色反射又は透過を生じさせることができる任意の材料を指すのに使用される。そのようなカラーシフト要素の例には、フォトニック結晶、液晶、干渉顔料、真珠光沢顔料、構造化干渉材料、あるいはブラッグスタックを含む薄膜干渉構造が挙げられる。
【００１０】
一般に、カラーシフト要素は実質的に不透明又は部分的に透明であってもよい。部分的に透明なカラーシフト要素（例えば、コレステリック液晶材料の層）が、自身に入射する光の少なくとも一部を透過させるほか、反射の光学的効果を提供する。実質的に不透明なカラーシフト要素の例には、光学的可変顔料が挙げられる。２つの異なる色の間の色ずれを有する光学的可変顔料であって、色ずれは視野角に依存する光学的可変顔料が周知である。このような顔料の製造、その使用及びその特徴は、とりわけ、米国特許第４４３４０１０号明細書、米国特許第５０５９２４５号明細書、米国特許第５０８４３５１号明細書、米国特許第５１３５８１２号明細書、米国特許第５１７１３６３号明細書、米国特許第５５７１６２４号明細書、欧州特許出願公開第０３４１００２号明細書、欧州特許出願公開第０７３６０７３号明細書、欧州特許出願公開第６６８３２９号明細書、欧州特許出願公開第０７４１１７０号明細書及び欧州特許出願公開第１１１４１０２号明細書に記載されている。視野角に依存した色ずれを有する光学的可変顔料は、異なる光学特性を有する重畳薄膜層の積層に基づくものである。そのような薄膜構造の色相、カラーシフト量及び色度は、とりわけ層を構成する材料、層の順序及び数、層の厚さのほか、製造方法に依存する。一般に、光学的可変顔料には、不透明全反射層と、不透明層の上に堆積された（即ち、１．６５以下の屈折率を有する）低屈折率材料の誘電体層と、誘電体層の上に塗布された半透明部分反射層が含まれる。
【００１１】
セキュリティ手段は反射又は透過によって見ることができる。手段（ひいてはセキュリティ文書）が反射によって見られるように意図されており、部分的に透明なカラーシフト要素を含む場合、セキュリティ手段は、光制御層に対してカラーシフト要素の遠位側に（即ち、カラーシフト要素が光吸収要素と目視者との間に位置決めされるように）配置された吸収要素をさらに備え、カラーシフト要素を透過した光を少なくとも部分的に吸収するように動作可能であることが好ましい。これは、カラーシフト要素が特定の波長の光のみを反射することになることによるものである。このため、カラーシフト要素の下に光吸収要素が存在すると、カラーシフト要素を透過する光が吸収され、カラーシフト要素から反射された光が支配的になることを確実なものにする。実質的に不透明なカラーシフト要素が使用される場合、そのような吸収要素は必要とされない。
【００１２】
光制御層は、好ましくはマイクロプリズム構造を備え、マイクロプリズム構造は複数のマイクロプリズムを備える。光制御層が存在しないと、カラーシフト要素から反射された光が、カラーシフト要素と空気との間の界面で両者の間の屈折率の差のために屈折するであろう。光制御層のマイクロプリズム構造は、光制御層と空気との間の界面がカラーシフト要素に対して角度をなし、それによってカラーシフト要素からの光の角度を変更し、単独のカラーシフト要素が示す光学的効果とは異なる第１の光学的効果を示すことを意味する。一例として、単独のコレステリック液晶カラーシフト材料が、傾斜したときに赤色から緑色へのカラーシフト効果をもたらすことがある。しかし、そのような光制御要素の上にマイクロプリズム光制御層が設けられると、赤から青へのカラーシフト効果（赤と青の間の中間視角で緑色が示される状態）が、カラーシフト材料から反射される青色光がもはや全体的に内部に反射されていないときに、ユーザに示される（図１ｂを参照）。この例でのこの赤から青への色ずれが「第１の光学的効果」である。ここでは例として、赤から緑及び赤から青への色ずれが使用されているが、正確な光学的効果は、少なくとも使用されるカラーシフト材料と、光制御層の屈折率と、マイクロプリズム構造のファセットがカラーシフト要素との間になす角度と、に依存することになる。例えば、視野角の変化時に黒（赤外）から赤への色ずれを示すカラーシフト要素を使用してもよい。
【００１３】
ここで「傾斜する」とは、文書の平面内の軸回りに文書を傾けることによるセキュリティ文書の視野角の変化を意味するのに使用される。典型的には、視野角の変化は、通常の視野角から非通常の視野角への変化である。
【００１４】
マイクロプリズム構造は、線形マイクロプリズムの配列を備えてもよい。一実施形態では、マイクロプリズム構造は２つ以上の線形マイクロプリズム配列を備え、一方の配列の長軸は他方の配列の軸から角度的にずれている。これは、回転光学的効果のほか、セキュリティ文書の傾斜角に依存するカラーシフト効果を提供し、回転効果は線形マイクロプリズムの配列に対する視野方位角に依存する。マイクロプリズム配列の存在による光学的効果は、配列の長軸に平行な方位方向ではなく配列の長軸に直交する方位方向に手段を見たときの方が容易に観察されることになる。
【００１５】
他の形態のマイクロプリズム構造、例えば、非対称構造又は反復ファセット構造を有するマイクロプリズムを含む構造も考えられる。
【００１６】
上記のマイクロプリズム構造は、カラーシフト要素から反射された光の変更が主に、個々のマイクロプリズムに対する１つの回転観察方向であって、マイクロプリズムの長軸に典型的には直交する回転観察方向にて観察されるため、一次元構造と呼ばれる。しかし、二次元構造を含む光制御層がこのほか考えられる。ここでは、マイクロプリズム構造の存在による光学的効果は、２つ以上の回転観察方向で容易に観察される。そのような二次元マイクロプリズム構造の例には、コーナーキューブ及びピラミッド構造が挙げられる。これとは別に、光制御層は、曲面構造を有するレンズ状配列を含んでもよい。
【００１７】
光制御層の表面構造のピッチ（例えば、マイクロプリズムの幅）は、好ましくは１〜１００μｍ、さらに好ましくは５〜７０μｍの範囲であり、表面構造の高さ（例えば、マイクロプリズムの高さ）は、好ましくは１〜１００μｍ、さらに好ましくは５〜４０μｍの範囲である。
【００１８】
本発明の第１の態様のステップ（ｉｉ）は、第１の光学的効果とは異なる第２の光学的効果を生じさせるように光制御層の一部を選択的に変更するステップを含む。上記のように、カラーシフト要素の少なくとも一部を覆う光制御層の存在は、カラーシフト要素が単独で存在していた場合とは異なる光学的効果を目視者に提供する。
【００１９】
光制御層が１つ又は複数の隆起部及び陥凹部を含む表面構造を有するという事実は、セキュリティ文書を個人化するために表面構造の容易な変更を可能にする。選択的変更が実施されるときには、セキュリティ手段がセキュリティ文書基材内に組み入れられるため、変更対象はセキュリティ文書基材全体であることに留意することが重要である。例えば、複数のパスポートセキュリティページ基材を設けてもよいと考えられる。提供された各基材は、同一の光制御層を有するセキュリティ手段を備え、このため（同一の）第１の光学的効果を示す。各基材上に存在する光制御層を選択的に変更することによって、完成した各パスポートセキュリティページは固有の個人化された情報を含むことになる。光制御層の変更部分によって示される第２の光学的効果が第１の光学的効果とは異なるため、固有の個人化された情報が目視者に明らかにされる。
【００２０】
好ましくは、少なくとも１つの視野角にて、第１の光学的効果は第１の色を示し、第２の光学的効果は第１の色とは異なる第２の色を示す。これは、完成したセキュリティ文書が傾けられると、選択的に変更された光制御層の（少なくとも１つの）部分が、（少なくとも１つの）変更されていない部分とは異なる色を示し、このため、（少なくとも１つの）変更された部分が記憶に残る方法でユーザの目を引くことを意味する。この光学的効果の差により、光制御層を選択的に変更することによって、証印をセキュリティ文書のセキュリティ手段に導入することが有利に可能になる。そのような証印は、パスポート保持者に関する生体認証データ（例えば、パスポート保持者の画像）又はセキュリティラベル内のシリアル番号を含んでもよい。
【００２１】
第２の光学的効果は、光制御層が存在しない場合にカラーシフト要素によって生じる光学的効果であってもよい。言い換えれば、変更される光制御層の（少なくとも１つの）部分は、カラーシフト要素からの光に対して無視できるほどの効果を有するように、効果的に「非機能的」に作成される。第１の光学的効果が赤から青への色ずれである上記の例では、第２の光学的効果が光制御層の不在下でカラーシフト要素によって生成される光学的効果であるように光制御層の一部を変更すると、光制御層の変更された（少なくとも１つの）「非機能的」部分に赤から緑への色ずれを提供するであろう。光制御層が証印を形成するように変更された場合、完成したセキュリティ文書は、傾斜すると、青色の背景に対して緑色の証印を示すであろう。
【００２２】
光制御層の選択された（少なくとも１つの）「非機能的」部分が人間の裸眼には知覚できない（即ち、解像可能ではない）規模（典型的には１５０μｍ未満、好ましくは１００μｍ未満、さらにいっそう好ましくは７０μｍ未満）になるように光制御層を選択的に変更する場合、変更された光制御層によって目視者に示される、結果として生じる光学的効果は、第１及び第２の光学的効果の組み合わせとなる。これは、典型的には、光制御層の隣接する変更部分と未変更部分とによって示される第１及び第２の光学的効果によって生じる色の「混合」として経験される。光制御の（少なくとも１つの）変更部分と非変更部分の比率に応じて、第１及び第２の光学的効果の組み合わせのために傾斜時に異なる色が見られてもよい。このため、そのような方法でセキュリティ文書基材の光制御層を変更すると、個人化された固有のセキュリティ文書を生じさせるための代替手段又は補足的手段が有利に提供される。
【００２３】
選択的に変更するステップには、光制御層の一部に材料を導入するステップが含まれてもよい。典型的には、材料は、光制御層の表面構造の少なくとも１つの陥凹部、例えば、マイクロプリズム構造のマイクロプリズム間に位置する領域に導入される。光制御層の一部へ材料を導入することにより、その部分で光制御層が変更され、ひいては、光制御層がカラーシフト要素からの光に及ぼす効果が変更され、第２の光学的効果が生じる。そのように材料を付加することによって、第２の光学的効果は、証印に関連するセキュリティ手段の領域、例えば、画像又はシリアル番号に適用することができる。
【００２４】
典型的には、光制御層に付加される材料は、光制御層の屈折率と実質的に同一の屈折率を有する。これにより、第２の光学的効果が、光制御層が存在しない場合の光学的効果と同一になるように、光制御層の領域を「無力化」して非機能的にすることができる。言い換えれば、「無力化」された領域によって生じる光学的効果は、単独のカラーシフト要素によって生じる光学的効果と同一である。光制御層の（少なくとも１つの）変更部分が単独でカラーシフト要素と同一の光学的効果を提供するために、材料は、変更部分の光制御層が、実質的にカラーシフト要素と平行である平坦な表面を有する平坦な領域を備えるように付加される。しかし、さまざまな光学的効果を発生させるために、異なる屈折率を有する材料を光制御層に付加することができると考えられる。
【００２５】
好ましくは、材料は、印刷可能な樹脂であり、デジタル印刷によって光制御層の一部に選択的に導入することができる。デジタル印刷は、例えば、インクジェット印刷又はレーザ印刷であってもよい。本発明のこの特徴は特に有利である。例えば、パスポート製造業者が、カラーシフト要素と、セキュリティ文書基材に既に組み込まれている光制御層とを備えるセキュリティ手段を有するセキュリティ文書基材を備えてもよい。次に、パスポート製造業者は、セキュリティ手段の光制御層上に、材料を含有する印刷領域が「元来の」第１の光学的効果とは異なる第２の光学的効果を生じるように変更する材料をデジタル印刷することによって各パスポートを個人化してもよい。例えば、パスポートを個人化するために、パスポートの所有者に関する生体認証データをセキュリティ手段に印刷してもよい。
【００２６】
これは、セキュリティ手段製造業者に、セキュリティ文書に後に組み入れるための多数の固有の個別セキュリティ手段を製造する必要があるのではなく、パスポート（又は身分証明書もしくは運転免許証などの他のセキュリティ文書）の作成の最終ステップとして個人化を実施できるため、特に有益である。
【００２７】
デジタル印刷を用いると、光制御層の変更にて高い空間精度が有利に可能になり、それによって偽造するのが困難でありながらも製造するのが比較的簡単な高レベルの細部を有する証印を作成する能力が提供される。
【００２８】
光制御層を選択的に変更するために光制御層に付加することができる材料の例には、Ｍｉｍａｋｉ（登録商標）紫外線インクＣｌｅａｒ０３１-３８Ｕ０６９Ｃなどの紫外線硬化性インクジェットインクが挙げられる。紫外線硬化性インクジェット用の他の適切な材料には、アクリル酸及びメタクリル酸などのエチレン性不飽和酸のポリエステル及び多価アルコールを含む多官能性末端不飽和有機化合物が挙げられる。このような多官能化合物のいくつかの例には、トリメチロールプロパン、ペンタエリスリトール、ジペンタエリスリトール、エチレングリコール、トリエチレングリコール、プロピレングリコール、グリセリン、ソルビトール、ネオペンチルグリコール、１，６-ヘキサンジオール及びヒドロキシ末端ポリエステル、ヒドロキシ末端エポキシ樹脂及びヒドロキシ末端ポリウレタンのポリアクリレート及びポリメタクリレートが挙げられる。このグループの末端不飽和有機化合物には、ジアリルフタレート及びテトラアリルオキシエタン及びジビニルアジペート、ブタンジビニルエーテル及びジビニルベンゼンなどのポリアリル及びポリビニル化合物が挙げられる。
【００２９】
別の例では、光制御層に付加される材料はワニスであってもよい。ワニスは水性ワニス又は紫外線硬化性ワニスであってもよい。ワニスは、典型的にはフレキソ印刷、平版印刷又はスクリーン印刷のうちの１つによって塗布されてもよい。適切な紫外線硬化性材料には、典型的には２つのタイプのうちの１つから構成され得る樹脂を含んでもよい。２つのタイプは、即ち、
ａ）例えば、ビニル又はアクリレート不飽和を含有する、典型的には不飽和樹脂又はモノマー、プレポリマー、オリゴマーなどであり、使用される放射線源、例えば、紫外線放射によって活性化された光開始剤の使用により架橋するフリーラジカル硬化樹脂と、
ｂ）開環（例えば、エポキシタイプ）が、使用される放射線源、例えば紫外線放射下でイオン性実体を生じさせる光開始剤又は触媒を使用して生成されるカチオン硬化樹脂であって、開環の後に分子間架橋が達成される、カチオン硬化樹脂、である。
【００３０】
硬化を達成するために使用される放射は、典型的には紫外線放射であるが、使用される材料、その吸光度及び工程に応じて、電子ビーム、可視光線、あるいは赤外線もしくはさらに高い波長の放射線を含み得る。適切な硬化性材料の例には、紫外線硬化性アクリル系透明エンボスラッカー又はニトロセルロースなどの他の化合物系のエンボスラッカーが挙げられる。適切な紫外線硬化性ラッカーには、Ｋｉｎｇｆｉｓｈｅｒ  Ｉｎｋ社の製品ＵＶＦ−２０３又はニュージャージー州、Ｎｏｒｌａｎｄ  Ｐｒｏｄｕｃｔｓ社から入手可能なフォトポリマーＮＯＡ６１が挙げられる。
【００３１】
硬化性材料はエラストマー性材料であるため、柔軟性が向上し得る。適切なエラストマー硬化性材料の一例には、（ポリアジリジンのような適切な架橋添加剤を含む）脂肪族ウレタンアクリレートが挙げられる。
【００３２】
適切な水性ワニスには、Ｄｏｗ  Ｃｈｅｍｉｃａｌ社によって供給され、塩化ビニル、酢酸ビニル及びマレイン酸からなるカルボキシ官能性ターポリマーであるＵＣＡＲ（商標）ＶＭＣＡ溶液ビニル樹脂又はＵＣＡＲ（商標）ＶＣＭＨ溶液ビニル樹脂などのビニル樹脂が挙げられる。このほか、ポリウレタン樹脂を含むワニスが適している。
【００３３】
本発明は、例えば、セキュリティスレッドを含む紙幣の製造に特に有利である可能性がある。この場合、セキュリティスレッドはセキュリティ手段として機能し、「ブランク」セキュリティスレッドとして作成されてもよい。ここで、光制御層は、セキュリティスレッド全体が同一の第１の光学的効果を示すように、カラーシフト要素全体を覆う。そのような「ブランク」セキュリティスレッドが一体化された紙幣基材を設けてもよい。続いて、紙幣基材は、所望のセキュリティ証印に一致するパターンでワニスを付加することによって個人化される。これは、ワニスの塗布が典型的には紙幣製造の最後のステップであるため特に有利である。別の利点には、紙幣のスレッド上の任意の証印が基材上の証印のそれぞれの窓領域と位置合わせされることを確実にすることが従来は困難であったことが挙げられる。本発明は、所望の位置に単にワニスを塗布することによってそのような証印の簡単な位置合わせを可能にする。
【００３４】
光制御層への材料の付加とは別に、あるいはこの付加に加えて、選択的に変更するステップは、光制御層がセキュリティ手段のその部分に存在しないように光制御層の少なくとも一部を除去するステップを含んでもよい。材料の付加と同じように、光制御層の少なくとも一部を除去すると、セキュリティ手段の（少なくとも１つの）変更部分によって生じる光学的効果が変更される。例えば、光制御層の表面構造の少なくとも１つの隆起部を除去して、セキュリティ手段のその部分に光制御層が存在しないようにしてもよい。これは、セキュリティ文書の一部によってもたらされる光学的効果が単独のカラーシフト要素によって生じた光学的効果であることを意味する。光制御層がマイクロプリズム構造を備える場合、例えば、選択されたマイクロプリズムを除去してもよい。所望の証印になるように光制御層の（少なくとも１つの）部分を除去することによって、セキュリティ文書は、材料の付加に関して上記で説明したのと同じような方法で個人化することができる。
【００３５】
選択的変更は、光制御層の少なくとも一部を変形させるステップを含んでもよい。ここで、「変形させる」という用語は、光制御層の構造を変化させることを意味する。典型的には、この例では、光制御層の平面領域を形成して、セキュリティ文書のその領域での第２の光学的効果が、光制御層がない場合のカラーシフト要素によって生じる光学的効果になるように、光制御層の表面の少なくとも１つの隆起部が変形される。平面領域はカラーシフト要素の平面と実質的に平行である。
【００３６】
典型的には、光制御層の選択的変更が光制御層の少なくとも一部を除去するか変形するステップを含む場合、光制御層は熱変換可能材料であり、そのような場合には、光制御層の少なくとも一部の除去又は変形は、熱変換可能材料に熱エネルギーを付加するステップを含む。
これは、典型的にはレーザ切断法によるレーザのような放射線源を用いるか、いわゆる「熱エンボス加工」法での線状又は回転式のエンボス加工用ダイのような適用部材との熱伝導を通して熱エネルギーを適用することによって実施される。そのようなエンボス加工用ダイは、光制御層の所望の変更に対応する表面レリーフを備えることになる。
【００３７】
デジタル印刷と同じように、レーザ加工用又はエンボス加工用のダイの使用によって、証印を形成するために光制御層を正確かつ迅速に変更することが可能になり、セキュリティ文書の迅速、容易かつ効率的な個人化が可能になる。
【００３８】
光制御層を選択的に変更する上記の３つの形態（材料の付加、光制御層の一部の除去及び光制御層の一部の変形）は、個別に適用されるか、組み合わせて適用されることが考えられる。
【００３９】
上記のように、選択的変更は、セキュリティ文書に関連するパターンを形成するように実施されてもよい。これは、セキュリティを強化するために、セキュリティ文書に固有のパターンであってもよい。一例として、光制御層は、所有者の指紋データ又は画像など、セキュリティ文書所有者に関連する生体認証データを規定するように選択的に変更されてもよい。これは、例えば、「後処理」工程にて、パスポート所有者の画像を、光制御層の領域を選択的に変更して画像を規定することによってパスポートセキュリティページ基材内に組み入れられたセキュリティ手段に導入することができるパスポートの分野で特に魅力的である。
【００４０】
この方法は、「ブランク」セキュリティ手段（即ち、各セキュリティ手段が同一の光制御層を備える場合）が多数のセキュリティ文書基材に組み込まれ、（既にセキュリティ文書基材に組み込まれている）手段の選択的変更が完成したセキュリティ文書の作成の最終ステップの１つとして実施される場合に特に有益である。
【００４１】
光制御層は典型的には、ポリマー（その例は、光制御層に付加してもよい材料の説明にて上記で概説した）を含み、エンボス加工、押出し加工及び鋳造硬化を含む多数の異なる方法によって形成されてもよい。例えば、紙幣スレッドの場合、そのようなポリマー光制御層を、カラーシフト材料上に紫外線硬化性ポリマーの層を形成し、続いて所望の表面構造を形成するためにポリマーをエンボス加工し、紫外線硬化することによって形成してもよい。パスポート用のセキュリティシートの場合、そのようなセキュリティシートは通常、複数の平面ポリマー層から作成される層状構造から形成される。カラーシフト要素は、積層工程の前又は後に当技術分野で知られているように「プラグ」を使用することによって層状構造に導入されてもよい。次に、光制御層は、例えば、エンボス加工によって、セキュリティシート基材の上面に形成されてもよい。そのような場合、カラーシフト要素及び光制御層は、セキュリティページ基材内に一体化されたセキュリティ手段を形成する。
【００４２】
上記のように、本発明の特に有利な実施例には、セキュリティ文書に関連するパターンを形成するように光制御層が選択的に変更される場合が挙げられる。これは、例えば、セキュリティ文書の所有者に関連する生体認証データ又はセキュリティラベルのシリアル番号であってもよい。パターンは、セキュリティ文書に固有のものであってもよい。以下でわかるように、既にセキュリティ手段を含むセキュリティ文書基材を供給し、次にセキュリティ手段の光制御層を選択的に変更する（ひいてはセキュリティ文書基材自体を変更する）ことによって、本発明は、固有のセキュリティ文書の効率的な作成を可能にする。
【００４３】
光制御層は、光制御層の第１及び第２の領域を形成するように選択的に変更されてもよく、第１及び第２の領域は異なる光学的効果を提供する。通常、完成したセキュリティ文書を傾けると、領域のみを異なる色のエリアとして表示することになる。
【００４４】
この方法は、少なくとも１つの仕上げ工程、例えば切断、積層又はバッチ処理を実施するステップをさらに含んでもよい。
【００４５】
本発明は、パスポート、紙幣、セキュリティラベル、身分証明書、運転免許証又はその他の任意の有用な文書をはじめとした、多数の異なるセキュリティ文書を対象とすることができる。本発明は、偽造するのが困難な固有のセキュリティ手段を用いてそのようなセキュリティ文書を効率的に個人化することを可能にする。
【００４６】
本発明の第２の態様によれば、本発明の第１の態様の方法によって形成されたセキュリティ文書が提供される。
【００４７】
好ましくは、セキュリティ文書の光制御層は、セキュリティ文書に固有の証印を形成するために選択的に変更される。上記のように、これはパスポート所有者に関連する生体認証データであってもよく、生体認証データはパスポートのセキュリティページにて規定される。別の例として、セキュリティ手段は、セキュリティ文書基材と一体化されたセキュリティスレッドであってもよく、セキュリティ文書基材は、少なくとも１つの表面に、スレッドが基材表面で露出される少なくとも１つの窓付き領域を有する。スレッドが露出していない少なくとも１つの領域では、光制御層は、セキュリティスレッド上に証印を形成するように選択的に変更される。これは紙幣の製造に特に有益であるが、このほか、パスポートのような他の有用な文書に適用されてもよい。セキュリティスレッド上の光制御層のその後の選択的な変更が基材上の（少なくとも１つの）窓付き領域への証印又はモチーフの登録を容易なものにするため、セキュリティ手段がセキュリティ文書基材内に一体化されたセキュリティスレッドであるというシナリオは本発明の特に有利な例である。これは、以下の詳細な説明にてさらに詳細に説明される。
【図面の簡単な説明】
【００４８】
ここで、添付の図面を参照して本発明の実施例を説明する。
【図１ａ】光制御層の存在しない状態でのカラーシフト要素に入射する光の影響の概略断面図である。
【図１ｂ】光制御層の存在する状態でのカラーシフト要素に入射する光の影響の概略断面図である。
【図１ｃ】選択的変更の光制御層に及ぼす効果の概略断面図である。
【図１ｄ】選択的変更の光制御層に及ぼす効果の他の一例を示す概略断面図である。
【図２】パスポートセキュリティページ用のパスポートセキュリティページ基材の概略側面図である。
【図３】完成したパスポートセキュリティページを形成する工程を概略的に示す図である。
【図４】完成したパスポートセキュリティページの簡略上面図である。
【図５】完成したセキュリティページを形成するために「ブランク」パスポートセキュリティページ基材を選択的に変更する例を示す図である。
【図６】セキュリティラベル基材の概略断面図である。
【図７ａ】セキュリティラベル基材の光制御層を選択的に変更し得る方法を概略的に示す図である。
【図７ｂ】セキュリティラベル基材の光制御層を選択的に変更し得る方法の他の一例を概略的に示す図である。
【図８ａ】本発明の方法によって形成された例示的なセキュリティラベルを示す図である。
【図８ｂ】本発明の方法によって形成された例示的なセキュリティラベルの他の一例を示す図である。
【図９】完成した紙幣の概略図である。
【図１０】例示的なセキュリティスレッドの概略側面図である。
【図１１】ブランク紙幣基材の平面図である。
【図１２】本発明の実施例による光制御層に使用され得るさまざまな表面レリーフを上から見た図である。
【図１３】本発明の実施例による光制御層に使用され得るさまざまな表面レリーフの他の一例を上から見た図である。
【図１４】本発明の実施例による光制御層に使用され得るさまざまな表面レリーフの他の一例を上から見た図である。
【図１５】本発明の実施例による光制御層に使用され得るさまざまな表面レリーフの他の一例を上から見た図である。
【図１６】本発明の実施例による光制御層に使用され得るさまざまな表面レリーフの他の一例を上から見た図である。
【図１７】本発明の実施例による光制御層に使用され得るさまざまな表面レリーフの他の一例を上から見た図である。
【図１８】本発明の実施例による光制御層に使用され得るさまざまな表面レリーフの他の一例を上から見た図である。
【図１９】本発明の実施例による光制御層に使用され得るさまざまな表面レリーフの他の一例を上から見た図である。
【図２０】本発明による例示的な方法のステップを概説する流れ図である。
【図２１ａ−２１ｂ】選択的に変更され得るセキュリティ手段を備えるセキュリティ文書基材の例を示す図である。
【図２２ａ−２２ｂ】選択的に変更され得るセキュリティ手段を備えるセキュリティ文書基材の他の一例を示す図である。
【図２３ａ−２３ｂ】選択的に変更され得るセキュリティ手段を備えるセキュリティ文書基材の他の一例を示す図である。
【図２４ａ−２４ｃ】選択的に変更され得るセキュリティ手段を備えるセキュリティ文書基材の他の一例を示す図である。
【発明を実施するための形態】
【００４９】
図１ａ〜図１ｄは、本発明の基礎となる一般的な原理を概説する。図１ａは、カラーシフト要素１０に入射する光の影響の概略断面図である。あらゆるタイプのカラーシフト材料、とりわけ、フォトニック結晶、液晶、干渉顔料、真珠光沢顔料、構造化干渉材料、あるいはブラッグスタックを含む薄膜干渉構造を本発明のカラーシフト要素として使用してもよい。
【００５０】
光がカラーシフト要素１０に当たると、その光の一部が反射される。反射光の波長はカラーシフト材料１０の構造及び組成に依存し、反射光は目視者５０には着色されて見えることになる。反射光の波長はこのほか、入射角に依存し、その結果、カラーシフト層が目視者に対して傾けられると、目視者５０によって知覚される色に変化が生じる。
【００５１】
カラーシフト要素１０の光学的効果は、入射角θ1、θ2及びθ3にてそれぞれ示される光線１、３及び５によって図１ａに概略的に示され、θ1＜θ2＜θ3である。カラーシフト要素１０のカラーシフト特性により、入射角θ1でカラーシフト要素１０に入射する光は目視者５０には赤色（Ｒ）に見え、入射角θ2で入射する光は緑色（Ｇ）に見える。さらに大きな入射角θ3では、カラーシフト要素１０によって反射された光が、青色（Ｂ）に対応する波長を有することになるが、全体的に内部反射されるため目視者には観察できないことになる。このため、カラーシフト材料１０は、視認され、通常の視野角から傾けられたときに、赤から緑への色ずれを示すことになる。
【００５２】
カラーシフト要素１０は、反射によって見るか、透過によって見ることができる。反射によって見る場合、透過光を吸収するためにカラーシフト要素１０の下に（１２で示す）暗色吸収層を配置することが望ましい。これは、カラーシフト要素が可視光に対して部分的に透明である場合（例えば、コレステリック液晶層）、特に有益である。（光学的可変顔料を含む印刷インクのような）実質的に不透明なカラーシフト要素が使用される場合、そのような吸収層１２は必要とされない。
【００５３】
図１ｂは、カラーシフト要素１０と目視者５０との間に位置するようにカラーシフト要素１０の上面と接触して位置決めされた光制御層２０を概略的に示す。光制御層は、好ましくは、マイクロプリズム構造（ここでは、カラーシフト要素１０に対して角度αである等しい長さのファセット２２、２４を有し、図１ｂの平面内に延びる長軸を有する対称線形三角マイクロプリズム２０ａ、２０ｂ、２０ｃの配列）を有する。この構造は、２６及び２８でそれぞれ概ね示される一連の隆起部及び陥凹部を有し、光が通過することができるように実質的に透明な材料を含む。図１ｂの光線によって示されるように、光制御層は、カラーシフト要素１０に入射しカラーシフト要素１０から反射される光を屈折させる。さらに具体的には、赤から緑への色ずれは、角度が通常の視野角に近づくにつれて観察される。さらに、カラーシフト要素１０と光制御層２０との間の屈折率の差がカラーシフト要素１０と空気との間及び光制御層の傾斜ファセット間の屈折率の差よりも小さいことにより、図１ｂにＢで表示された光線で概略的に示されるように、青色光が光制御層によってこれ以上全体的に内側に反射することはなく、代わりに目視者に観察可能になる。このため、図１ｂに見られるような光制御層２０の存在は、傾けると目視者に赤から青への色ずれ効果を示し、この効果は、単独でのカラーシフト要素１０と比較して垂直視野角に近づくにつれて観察可能になる。
【００５４】
光制御層の光変調特性は、手段を光制御層のマイクロプリズムの長軸に直交した方向から見たときに最も顕著である。
【００５５】
図１ｃは、光制御層２０の第１のタイプの変更を概略的に示す。樹脂３０を光制御層２０のマイクロプリズム構造内の陥凹部２８に導入し、隣接するマイクロプリズム間の間隙は、光制御層の変更部分が、光制御層の隣接するマイクロプリズムの頂部２６同士の間に延在し、光制御要素１０と平行な平面３２を含むように実質的に充填される。
【００５６】
好ましくは、樹脂３０は、光制御層２０の変更部分が光学的に均一な平面層の形態をとるように、光制御層２０の屈折率と実質的に同一の屈折率を有する。これは、カラーシフト要素１０から反射された光が光制御層２０の変更部分によって著しく屈折されることがないため、目視者５０がその時点で光制御層が存在しなかった場合と実質的に同一のカラーシフト効果を知覚することを意味する。例えば、光制御層の変更部分では、カラーシフト要素からの青色光が樹脂３０と空気との間の界面で全体的に内部に反射され、その結果、赤から青への色ずれではなく赤から緑への色ずれが目視者に示される。このため、光制御層のそのような変更部分は、「非機能的」と記載することができる。
【００５７】
図１ｄは、光制御層２０の第２の変形例、さらに具体的には光制御層２０の一部の除去を示す。ここでは、カラーシフト要素１０の部分１０ａを露出させるために、光制御層２０の（４０で示す）部分が除去される。このため、カラーシフト要素１０内で反射され、部分１０ａでカラーシフト要素から放出される光線が、光制御層２０によって屈折されず、その結果、目視者５０に示される効果は、光制御層に起因する赤から青への色ずれではなく、カラーシフト要素に起因する本来の赤から緑への色ずれになることになる。
【００５８】
図２は、パスポートセキュリティページ２１０（図４参照）のためのパスポートセキュリティページ基材２００の概略側面図を示す。そのようなセキュリティページ２１０は、パスポート小冊子内に提供され、通常、２番目又は最後から２番目のページであり、典型的には、ビザページのうちの１つとカバーとの間に位置する。セキュリティページ基材２００は、互いに融着して剛性又は半剛性の層状構造を形成する複数の平面層２０１、２０３、２０５、２０７及び２０９を含む。このような層は典型的にはポリカーボネート又はポリエチレンのような熱可塑性ポリマーから構成され、当技術分野にて知られているように積層法により互いに融着される。ポリマー層の具体的な材料の例には、ポリカーボネート及びポリエチレンテレフタレート共重合体（ＰＥＴＧ）が挙げられる。
【００５９】
セキュリティページ基材２００は、対向する外層２０１、２０９と、複数の内層２０３、２０５、２０７とを備える。この例では、カラーシフト要素１０が第２の内層２０５に設けられ、吸収層１２が第３の内層２０７上のカラーシフト要素の下に同要素と位置合わせされた状態で設けられる。ここで「位置合わせ」とは、カラーシフト要素及び吸収要素が層に対して垂直な方向に整列し（即ち、重なり合い）、複数のセキュリティページ基材の同一相対位置に実質的に整列することを意味する。光制御構造２２０が、カラーシフト要素１０の上に同要素と位置合わせされた状態で設けられ、光制御構造２２０がカラーシフト要素１０に実質的に隣接してカラーシフト要素１０の直上の層の形態をとるように、上部外層２０１及び第１の内層２０３を通って延びる。他の例では、光制御構造及びカラーシフト要素は、カラーシフト要素が色制御構造を通して見えるように、（透明ポリカーボネートなどの）透明材料の１つ又は複数の領域によって離間されてもよい。この例では、光制御構造２２０は上部外層２０１及び第１の内層２０３を通って延びる。しかし、他の例では、光制御構造は、セキュリティページ基材の構成及びカラーシフト要素の位置決めに応じて、上部外層のみを通って延びるか、２つ以上の内層を通って延びてもよい。
【００６０】
カラーシフト要素１０及び吸収層１２は、融着ステップの前にそれぞれの層上に設けられてもよく、あるいは当技術分野で知られているように層が互いに融着された後に基材に「プラグ」として挿入されてもよい。
【００６１】
光制御構造２２０は、一連の隆起部２２６及び陥凹部２２８を形成する直線対称三角マイクロプリズム２２０ａ、２２０ｂ、２２０ｃ、２２０ｄ及び２２０ｅの配列を含むマイクロプリズム構造を備える。マイクロプリズムの長軸はページの平面に向かって延びる。典型的には、光制御構造２２０は、熱エンボス加工工程によって形成される。この加工工程では、最初は平坦な層２０１及び２０３が加熱されたエンボス加工用シリンダ又はダイと密接に接触するようになる。このシリンダ又はダイの表面は、望ましいマイクロプリズム構造に対応する一連の隆起部及び陥凹部を備える。
【００６２】
カラーシフト要素１０及び光制御構造２２０は共に、パスポートセキュリティページ基材２００内に埋設されたセキュリティ手段を形成する。
【００６３】
典型的には、対向する外層２０１及び２０９のほか、第１の内層２０３は、実質的に透明である。内層２０５及び２０７は典型的には実質的に不透明である。最上部の外層２０１及び第１の内層２０３は、カラーシフト要素１０がパスポートセキュリティページ基材の上部を通して見えるように実質的に透明である。しかし、第１の内層２０３はこれとは別に、実質的に不透明であり、カラーシフト要素１０が最上部の外層２０１を通して見えるように、カラーシフト要素１０と位置合わせされた窓領域を備えてもよい。
【００６４】
図３は、本発明による、基材２００から完成パスポートセキュリティページ２１０を形成する工程を概略的に示す。インクジェットプリンタ３００を用いて、実質的に透明な樹脂３０２を光制御構造２２０内の陥凹部２２８ｂ、２２８ｅに選択的に導入する。樹脂３０２は、光制御構造２２０が形成されている層２０１、２０３の屈折率と実質的に同一の屈折率を有する。図３では、カラーシフト要素１０と平行な平面を有する平面領域３０４及び３０６を形成するために、樹脂３０２が光制御構造２２０内の陥凹部２２８ｂ及び２２８ｅに選択的に導入される。言い換えれば、樹脂は、隣接するマイクロプリズム２２０ａと２２０ｂの間の間隙及び隣接するマイクロプリズム２２０ｄと２２０ｅの間の隙間を実質的に充填するように導入される。適切な印刷可能材料の例を発明の概要の章で考察した。
【００６５】
図１ｂを参照して説明したように、光制御構造２２０を変更するために樹脂３０２を導入することは、２つの光学的効果が目視者に示されることを意味する。樹脂が付加されていない光制御構造２２０の未変更領域（例えば、マイクロプリズム２２０ｃ）では、完成したパスポートセキュリティページ２１０の閲覧者は、ページを傾けたときに赤から青への色ずれを見ることになり、変更領域は、ページを傾けると、赤から緑への色ずれを示すことになる。
【００６６】
有利なことに、これにより、完成したパスポートセキュリティページ２１０上に証印を形成するように樹脂３０２を光制御構造２２０に導入することができる。ここで、証印はパスポートページを傾けると視認可能になり、その結果、さまざまな光学的効果が示される。例えば、パスポートセキュリティページの場合、図４に概略的に示されるように、証印は、パスポート保有者の肖像写真など、パスポートの保有者に関連する生体認証データであってもよい。
【００６７】
図４は、セキュリティページ基材２００から形成された完成パスポートセキュリティページ２１０の簡略上面図を示す。完成したセキュリティページ２１０は、カラーシフト要素１０、吸収層１２及び変更光制御構造２２０によって形成されるセキュリティ手段２５０を備える。法線入射観察では、肖像写真と背景は実質的に同一色になることになる（光沢の差のために肖像写真は見えにくくなることがある）。しかし、セキュリティページを傾けると、肖像写真２５４は、背景とは異なる色で目視者に見えるようになる。樹脂は、肖像写真の輪郭を形成するために光制御構造２２０に導入されてもよい。その場合、セキュリティページ２１０を傾けると、肖像写真２５４は青色の背景２５２に対して緑色に見えるようになる。これとは別に、樹脂は、ページが傾けられたときに肖像写真２５４が緑色の背景２５２に対して青色に見えるように、肖像写真「ネガ」として導入されてもよい。高品質で偽造が困難なセキュリティ手段を提供するために、インクジェットプリンタ３００（あるいはレーザプリンタ）が、光制御構造２２０への樹脂の導入の正確な操作を提供する。しかし、樹脂を光制御構造に導入する他の手段が考えられる。
【００６８】
このため、上記の説明は、偽造が困難なセキュリティ手段２５０の形態で個人用生体認証データを含む固有の完成セキュリティページ２１０を作成するために、その後個人化される「ブランク」パスポートセキュリティページ基材２００を提供する方法を説明するものである。ここで、「ブランク」という用語は、各パスポートセキュリティページが、未変更光制御層を含む「ブランク」セキュリティ手段を含む方法を説明するために用いられる。言い換えれば、各ブランクセキュリティページ基材内のセキュリティ手段は、同一のカラーシフト効果を示すことになる。しかし、上記のように、ブランク基材を変更すると、固有のセキュリティ手段を含む完成したセキュリティページ２１０が作成される。
【００６９】
セキュリティページ基材２００のこの変更は、パスポートセキュリティページの作成の最終処理ステップのうちの１つであってもよいことが考えられる。有利には、セキュリティページ基材２００を単一の実体として変更できることは、製造され、記録され、正規文書に挿入されることになる複数の別々のセキュリティ手段に対して個別に対処する必要がなくなる。
【００７０】
上記のように複数のポリカーボネート層を含むセキュリティページ基材の場合、当技術分野で知られているように肖像写真を層のうちの１つにレーザマーキングし、続いて光制御層を変更して、セキュリティページを傾けると視認されるレーザマーキングと一致する肖像写真を提供してもよい。
【００７１】
図５は、図２に見られる「ブランク」パスポートセキュリティページ基材２００を変更して、固有のセキュリティ要素２５０を含む完成セキュリティページ２１０を形成することができる代替の方法を示す。図４を参照して上記したように光制御構造に樹脂を導入する代わりに、必要な証印を形成するために光制御構造２２０の一部を選択的に除去することができる。
これは図５に示される。図５では、光制御層に隙間領域４０２、４０４を形成するためにレーザ切断工程を通して光制御構造から（点線で示される）マイクロプリズム２０ｂ、２０ｄを除去するためにレーザ４００が使用される。隙間領域４０２、４０４には光制御層２０が存在しないため、カラーシフト要素が露出する。
【００７２】
このため、光制御構造２２０の変更領域４０２、４０４では、カラーシフト要素２０から反射された光が、光制御層が存在しなかった場合と同一の光学的効果、即ち、赤から緑への色ずれを示すことになる。
【００７３】
これとは別に、光制御層２０の（少なくとも１つの）部分を除去する代わりに、光制御層２０を選択的に変形させて、上記のように効果的に隙間領域４０２、４０４を形成するように、カラーシフト要素に実質的に当接する光制御層の平面領域を残してもよい。
【００７４】
この技術は、図４に関連して上記したものと同一の効果を得るために使用することができる。変更部分がパスポート使用者の肖像写真の輪郭を形成するように光制御構造２２０が変更される場合、肖像写真は、パスポートセキュリティページ２１０を傾けると、青色の背景に対して緑色に見えることになる。逆に、パスポートセキュリティページを傾けると、肖像写真が緑色の背景に対して青色に見えるように、光制御構造の一部を「ネガ」になるように除去してもよい。
【００７５】
図５の工程はレーザ切断を用いることに関して説明されてきたが、光制御構造の（少なくとも１つの）部分を変形させるか除去する他の手段が考えられることは当業者によって理解されるであろう。例えば、セキュリティページ基材２００の光制御構造２２０が熱変換可能材料を含む場合（即ち、最上外層２０１及び第１の内層２０３が熱変換可能材料を含む場合）、熱エネルギーを供給して、エンボス加工用ダイなどの製造工具によって、光制御構造２２０の（少なくとも１つの）部分を選択的に変形させるか除去する。ここで、エンボス加工用ダイは、光制御構造の所望のマイクロプリズム構造に対応する一連の突起部を有する。
【００７６】
さらに、光制御構造２２０の変更は、樹脂の導入、光制御層の少なくとも一部の除去及び光制御層の少なくとも一部の変形のうちの２つ以上の組み合わせを含み得ることが考えられる。
【００７７】
図２〜図５に関連した上記の説明は、パスポート文書に関するものであった。しかし、所有者に関する生体認証データを含むセキュリティ手段から利益を得ることができる他の個人化可能な有用な文書、例えば、身分証明書、セキュリティラベル及び運転免許証に同一の技術を適用することができることが理解されよう。別の例として、図６〜図８は、例えば運転免許証に使用し得るセキュリティ積層体に本発明をどのように適用できるかを示す。
【００７８】
図６はセキュリティ積層体６００の概略断面図である。パスポートセキュリティページ基材と同じように、セキュリティ積層体６００は、典型的には当技術分野にて知られているように積層工程によって、互いに融着して層構造を形成する複数の平面層を含む。セキュリティ積層体６００は、対向する外層６０１及び６０７と、外層６０１及び６０７の間に位置決めされた複数の内層６０２、６０３、６０４、６０５及び６０６とを含む。光制御構造６２０が、セキュリティ積層体６００の上部に形成され、この例では、最上部の外層６０１及び第１の内層６０２を通って延び、複数の対称線形マイクロプリズム６２０ａ、６２０ｂ、６２０ｃ、６２０ｅ及び６２０ｆを含む。このようなマイクロプリズムの長軸はページの平面に向かって延び、一連の隆起部６２６及び陥凹部６２８を形成する。他の例では、光制御構造は、セキュリティ積層体の構成及びカラーシフト要素の位置決めに応じて、最上外層のみを通るか、２つ以上の内層を通って延びてもよい。光制御構造６２０は典型的には、パスポートセキュリティページに関してこれまでに説明したように熱エンボス加工工程によって形成される。
【００７９】
カラーシフト要素１０が、光制御構造６２０の直下にて同構造に位置合わせされた状態で第２の内層６０３に位置決めされる。しかし、上記のように、カラーシフト要素と光制御構造とは、実質的に透明な領域を含む１つ又は複数の層によって離間されてもよい。吸収要素１２が、光制御構造の直下にて同構造に位置合わせされた状態で第３の内層６０４に配置される。典型的には、層６０１、６０２及び６０７は実質的に透明であり、残りの層は実質的に不透明である。しかし、パスポートセキュリティページの例と同じように、第１の内層６０２は、実質的に不透明であり、カラーシフト要素１０が光制御構造６２０を通して視認できるようにカラーシフト要素と位置合わせされた窓領域を備えてもよい。
【００８０】
カラーシフト要素１０及び光制御構造６２０は共に、セキュリティ積層体６００内に埋設されたセキュリティ手段を形成する。
【００８１】
セキュリティ積層体６００の場合、第４の内層６０５が（図示しない）不正開封防止要素を備え、第５の内層６０６が（図示しない）接着剤を備えてもよく、その結果、セキュリティ積層体６００は、外層６０７を除去すると、有価物に取り付けられてもよい。
【００８２】
図６は、「ブランク」セキュリティラベル積層体６００を示し、そのようなセキュリティ積層体のそれぞれは、未変更の光制御層を有する「ブランク」セキュリティ手段を備えることを意味する。そのようなブランクセキュリティ積層体６００の光制御層は、運転免許証などの固有の完成セキュリティ文書６１０を作成するために変更されてもよい。
【００８３】
そのような変更は、図３及び図５に類似する図７ａ及び図７ｂに概略的に示される。図７ａでは、図１ｃ及び図３に関して説明されたのと同一の方法で証印を形成するために樹脂３０が光制御構造６２０に導入される。図７ｂでは、光制御構造６２０は、図１ｄ及び図５に関して説明したのと同一の方法で、光制御層の少なくとも一部の変形又は除去によって証印を形成するために変更される。
【００８４】
図８ａ及び図８ｂは、共にブランク基材から形成された完成セキュリティラベル６１０ａ、６１０ｂの例を示す。ブランク基材は、片面に接着剤層がある状態で、図６に記載されたものと類似する構造を有してもよく、あるいは図２２に記載されるセキュリティスレッドと類似する構造を有してもよい。図８ａは、光制御構造の変更部分と未変更部分によってもたらされるさまざまな光学的効果により、セキュリティラベルの傾斜によって視認することができるクイックレスポンスコード６７０を示すようにブランク基材が変更されたセキュリティラベル６１０ａを示す。同じように、図８ｂは、セキュリティコード６７５を示すようにブランク基材が変更されたセキュリティラベル６１０ｂを示す。
【００８５】
本発明は、本質的に固定するのが難しい機密保護ラベルを製造するのに特に有益である。例えば、製造された各製品に安全なセキュリティラベルを提供することを望む製造者に、「ブランク」セキュリティラベル基材の束を提供してもよい。各「ブランク」セキュリティラベル基材は、ブランクセキュリティ手段を形成するカラーシフト要素と光制御構造とを含む。商品製造者は、その後、インクジェット印刷を使用して、セキュリティラベル基材内に一体化された光制御構造上に固有のセキュリティコードを印刷してもよい。このため、完成したセキュリティラベルそれぞれは、光制御構造の変更部分と未変更部分とによって目視者に示されるさまざまな光学的効果のために傾斜すると視認できる固有のセキュリティコードを含み、それによって、ラベルに、（典型的には、従来の方法で印刷され、複製が容易であろう）コードのほかに別のセキュリティ要素が付加される。
【００８６】
本発明はこのほか、紙幣製造に特定の用途を有する。図９は、向かい合う長辺の間を通過する窓付きセキュリティスレッド７０１を有する完成した紙幣７１０の概略図である（いくつかの例では、紙幣は一連の窓ではなく１つの窓のみを有してもよい）。セキュリティスレッドは、典型的には、製紙中に挿入され、その結果、セキュリティスレッドは紙の一部がスレッドの両側に位置するように部分的に紙に埋め込まれる。これは、欧州特許第００５９０５６号明細書に記載されている技術を使用して実施することができる。この技術では、製紙工程中に窓領域に紙が形成されず、それによって紙幣の窓領域にセキュリティスレッドが露出する。これとは別に、窓領域は、例えば、スレッドを挿入した後に窓領域の紙の表面を研磨することによって形成してもよい。窓領域が「全層」窓である必要はないことに留意されたい。場合によっては、スレッドは一方の表面に露出するだけでよい。セキュリティスレッドは、文書の少なくとも１つの窓にて完成セキュリティ基材の両側から見えるように紙ベース又はポリマーベースの基材に組み込まれてもよい。そのようにセキュリティ手段を組み込む方法が、欧州特許出願公開第１１４１４８０号明細書及び国際公開第０３０５４２９７号に記載される。欧州特許出願公開第１１４１４８０号明細書に記載された方法では、セキュリティ要素の片側が、セキュリティ要素が部分的に埋設された基材の一方の表面で全体的に露出され、基材の他方の表面の窓にて部分的に露出される。
【００８７】
図９では、一連の窓領域７０２であって、窓領域に埋設されたスレッド７０１を露出させる窓領域が示される。各窓付きエリアは長方形の形状を有する。隣接する窓領域の間には、スレッドが基材材料７１１内に埋設されたままの状態であるブリッジ領域７０３が配置される。セキュリティを強化するために、スレッド７０１は、その上に、窓領域内で見える証印７０５を有してもよい。しかし、窓領域との位置合わせを容易にすることを可能にする方法によってそのような証印をスレッドに設けることは困難である。
【００８８】
窓付きセキュリティスレッド上の証印を窓付きエリアと位置合わせした状態で位置決めすることができれば、大きなセキュリティ上の利益が得られるであろう。現在の製造工程では、このような望ましい効果を達成するためにスレッドを登録することができないため、今のところ、このような登録機能は依然として実用的ではない。その代わりに、ブリッジの位置とスレッドの設計との間に任意のズレが発生し、窓内に偏心した画像又は不完全な画像が生じる。当然のことながら、製紙工程中に窓に対するスレッドの相対位置を調整する試みがなされてきた。最も注目すべきは、製紙工程中にスレッド送りにかかる張力を調整するための試みがなされてきたことである。このような試みは、選択された窓位置を制御信号が監視する画像捕捉システムから導出される閉ループフィードバックアーキテクチャを用いて実施された。しかし、実際には、この取り組みは実施するのがきわめて困難であることがわかっており、特に幅の狭いスレッド以外ではほとんど成功していない。スレッド上の画像と基材の窓との間の位置合わせを達成するという要望は依然として強い。最も大まかにいえば、目標は、スレッド窓に対する画像及びモチーフの任意の位置決め又は（必要に応じて）各窓内の任意の異なる設計の位置決めを容易にする方法を見つけることである。さらに、実際には、そのような工程には最も厳格な生産基準を満たすことがとりわけ要求されるため、そのような方法は、セキュリティ文書作成の確立された通常工程と直ちに統合する必要があるという点で、新たな課題に直面する。未印刷の紙幣用紙を、印刷基材としてＳｔａｔｅ  Ｐｒｉｎｔ  ｗｏｒｋｓ／他の市販のプリンタに供給できることは、セキュリティ産業では標準的な方法／公知の方法である。この基材は、完成セキュリティスレッドを普通は含有する。記載された本発明の利点には、紙幣プリンタによるセキュリティスレッドの個人化／仕上げを可能にし、ひいては紙幣プリンタがセキュリティスレッドをカスタマイズすることを可能にすることが挙げられる。カスタマイズは、紙幣用紙が従来の紙幣印刷動作で印刷される前又は後に実施されてもよく、証印が窓に位置合わせされていることに加えて、証印はこのほか、従来の紙幣印刷デザインに位置合わせすることができる。
【００８９】
本発明は、以下に説明されるように、この問題に対する解決策を提供する。
【００９０】
図１０は、紙幣基材材料に導入される前に本発明によって使用される紙幣スレッド７０１の概略断面図である。紙幣スレッド７０１は細長く、スレッド基材７１５、典型的には、ＰＥＴ又は二軸配向ポリプロピレン（ＢＯＰＰ）などの透明ポリマー基材を備える。図１０の例では、光学的可変顔料を含む印刷インクのような実質的に不透明なカラーシフト要素がスレッド基材上に設けられる。次に、カラーシフト要素７１２上に光制御層７２０が形成される。しかし、他の例では、部分的に透明なカラーシフト要素が設けられてもよく、その場合、吸収要素を、光制御層に対してカラーシフト要素の遠位側に位置決めしてもよい。他の例では、カラーシフト要素（及び任意選択で吸収要素）は、透明基材の光制御層とは反対側に設けられてもよく、カラーシフト要素は透明基材、光制御層を通して視認可能である。吸収要素が設けられる場合、吸収要素は証印を形成するようにパターン化されてもよい。実質的に不透明なカラーシフト要素が使用される場合、カラーシフト要素自体が証印を形成してもよい。図１０は、基材７１５及び光制御層７２０と接触しているカラーシフト要素７１２を示すが、これは必須ではない。
【００９１】
光制御層７２０は、（全体として７２６で示される）複数の隆起部及び（全体として７２８で示される）陥凹部を形成する複数の線形マイクロプリズム７２０ａ、７２０ｂ、７２０ｃ・・・を含むマイクロプリズム構造を備える。マイクロプリズムの長軸は紙面に向かって延びる。
【００９２】
光制御層７２０を製造してスレッド７０１に付与する方法はいくつかある。第１の方法では、紫外線硬化性樹脂コーティング全体をカラーシフト要素７１２に塗布する。紫外線硬化性樹脂コーティングが塗布されたカラーシフト要素７１２は、次いで、エンボス加工用シリンダの形態の製造工具と密接に接触した状態で保持され、製造工具上に形成されたマイクロプリズム構造は樹脂中で複製される。接触点では紫外線光を使用して樹脂を硬化させる。理想的には、製造工具は透明（例えば、石英製）であり、紫外線光が内側に位置決めされているため、樹脂は注型直後に硬化する。
【００９３】
これとは別に、光制御層は、上記の方法を使用してキャリア層上に形成され、次いでキャリア層がカラーシフト要素７１２に隣接するように別の工程でキャリア層と共に移動されてもよい。これとは別に、カラーシフト要素は、そのようにして形成された光制御層に導入され接着されてもよい。
【００９４】
代替方法では、光制御層７２０は、カラーシフト要素７１２を熱可塑性エンボス加工ラッカーで被覆し、次いでエンボス加工工具を使用して熱と圧力を付加して光制御層を作成することによって形成される。
【００９５】
図１０に示す紙幣スレッド７０１は、光制御層７２０が変更されていないため各ブランクスレッドが目視者に同一の光学的効果を提供するという点で「ブランク」スレッドである。紙幣スレッドは典型的には単一のスレッドとして製造され、次いで当技術分野にて周知のように製紙工程中に長尺部として紙に挿入される。
【００９６】
「ブランク」紙幣基材７００を図１１に示す。ブランク紙幣基材７００は、スレッドが図９のように窓付き領域７０２を通して見ることができるように、ブランクスレッド７０１を紙幣基材材料７１１に挿入することによって製造される。ここで、スレッドはセキュリティ手段として機能する。ブランク紙幣基材の光制御層を選択的に変更することによって、セキュリティスレッド上の証印を紙幣基材上の窓付き領域と位置合わせすることを容易に達成することができる。
【００９７】
紙幣の製造の最終ステップは、典型的には、紙幣の全体にわたるワニスの塗布である。「ワニス」とは、通常は透明な高分子樹脂を意味する。このため、有利には、そのような仕上げステップでのワニスは、窓付き領域７０２内のスレッドの露出領域上の光制御層７２０を変更するために、ブランク紙幣基材７００に塗布してもよい。ワニスは、紙幣スレッドの（少なくとも１つの）変更部分が光制御層の存在しない場合と同一の光学的効果を示すように、図１ｃ及び図３に関して上記したのと同一の方法で光制御層７２０に塗布してもよい。ワニスは、紙幣を傾けると、証印が青色の背景に対して緑色に見えるように、塗布されて証印７０５を形成してもよい。これとは別に、ワニスは、紙幣を傾けると証印が緑色の背景に対して青色に見えるように、「ネガ」に塗布してもよい。ワニスは典型的には、フレキソ印刷、平版印刷又はスクリーン印刷のうちの１つによって塗布される。
【００９８】
上記のようにワニスを使用することは、典型的な紙幣製造工程を生かすものである。しかし、光制御層は、図３に関連して説明したようにデジタル印刷を使用することによって変更するか、図５に関連して説明したように変形もしくは除去によって変更するか、上記のいずれかの組合せによって変更してもよい。
【００９９】
当業者には理解されるように、セキュリティスレッドを、紙幣以外のセキュリティ文書、例えば、パスポート内のセキュリティ手段として使用してもよい。
【０１００】
上記の例はそれぞれ、複数の線形マイクロプリズムを含むマイクロプリズム構造を含む光制御層を用いて説明されている。図１２は、（上記のように接触は必須ではないが）カラーシフト要素１０の上に同要素と接触した状態で位置決めされ、全体として８２０で示されるそのような光制御層の三次元図である。マイクロプリズム構造は、（全体を８２１で示す）三角形断面をそれぞれが有する線形マイクロプリズム８２０ａ、８２０ｂ・・・８２０ｆの配列を含む。線形マイクロプリズムは、その長軸に沿って互いに実質的に当接し、その長軸周りに互いに平行である。マイクロプリズムの配列は一連の隆起部８２６及び陥凹部８２８を形成する。典型的には、マイクロプリズム配列のピッチ（例えば、その幅）は１〜１００μｍの範囲、好ましくは５〜７０μｍの範囲であり、マイクロプリズムの高さは約１〜１００μｍの範囲、好ましくは５〜４０μｍの範囲である。
【０１０１】
個々のマイクロプリズムの対向する端面が実質的に平行であり、そのようなマイクロプリズムは「一次元」マイクロプリズムとして知られている。このため、図１２に示すマイクロプリズム構造８２０は、複数の一次元マイクロプリズムを含むため、一次元マイクロ構造である。「一次元」という用語が用いられるのは、マイクロプリズムによって生じる光学的効果が一方向の観察にて著しく強化されている（即ち、ユーザにとっていっそう認識しやすい）ためである。図１２の例では、光制御層の効果（即ち、赤から青への色ずれの表示）は、図１２のマイクロプリズムの長軸に直交する方向Ｙ-Ｙ′に沿って見た場合に最も顕著である。
【０１０２】
このため、光制御層によって示される光学的効果は異方性である。手段がその平面内で回転する場合、示される光学的効果は、手段がマイクロプリズムの長軸に直交する視線方向に対して（即ち、Ｙ-Ｙ′に沿って）傾けられるときに最も容易に見られる。視線方向がマイクロプリズムの長軸と平行になるように（即ち、Ｘ-Ｘ′に沿って）手段が回転する場合、その効果はそれほど見られない。
【０１０３】
以下の図１３〜図１９を参照して強調されるように、偽造が困難であるさまざまな記憶可能な光学的効果を目視者に提供するために、さまざまな異なる光制御層を本発明に従って選択的に変更することができる。
【０１０４】
図１３は、上記のように選択的に変更される前にカラーシフト要素の少なくとも一部の上に配置することができる例示的な光制御層９２０を示す。光制御層９２０は、複数のマイクロプリズムをそれぞれが含む３つの領域Ａ１、Ｂ及びＡ２を含む。各配列のマイクロプリズムは互いに平行であり、領域Ａ１及びＡ２のマイクロプリズムは平行である。しかし、領域Ｂのマイクロプリズムは、領域Ａ１及びＡ２のマイクロプリズムの長軸が領域Ｂの長軸と角度Ωを形成するように、領域Ａ１及びＡ２のマイクロプリズムからずれている。このため、光制御層９２０は、領域Ａ１及びＡ２のマイクロプリズムの長軸に直交する方向に沿って傾けて見たときにカラーシフト効果を提供するほか、光制御層９２０が回転し、領域Ｂの長軸に直交する方向から見たときに、容易に見られるカラーシフト効果を提供する。これは、マイクロプリズムの長軸が単一方向に整列している図１２の光制御層とは対照的である。
【０１０５】
このため、オフセットマイクロプリズムを有するマイクロプリズム構造を含む光制御層を有するセキュリティ手段をセキュリティ文書基材内に設ける場合、そのような光制御層を選択的に変更することによって、セキュリティ文書基材が傾斜し回転すると多数の異なる効果を提供することができる。図１４に示すように、互いにずれた複数の領域を有する光制御層を使用することができると考えられる。図１４は、回転方向に互いにずれた複数の配列１０２０ａ、１０２０ｂ・・・１０２０ｈに配置された複数の線形マイクロプリズムを含む光制御層１０２０を概略的に示す。
【０１０６】
図１５は、各々が「鋸歯」構造を有する複数のマイクロプリズム１１２０ａ、１１２０ｂ ・・・ １１２０ｆを含む光制御層１１２０を示しており、（ここでは１１２３で示される）１つのファセットは、マイクロプリズムの（１１２４で示される）他のファセットよりもカラーシフト要素に対して鋭角を形成する。このような鋸歯構造は、方向Ａから見たときに、狭い傾斜角全体にわたって生じる色ずれ効果を提供するであろう。逆に、方向Ｂから見たとき、色ずれは比較的大きな傾斜角全体にわたって生じる。
【０１０７】
光制御層は、図１６の例示的光制御層１２２０に示すように、一連の多面マイクロプリズム（即ち、3つ以上のファセットを有するマイクロプリズム）を含んでもよい。
【０１０８】
セキュリティ手段の光学特性にてさらに等方性を得るために、例えば、図１２の線形マイクロプリズムほど回転依存性ではないマイクロプリズムを含む「二次元」マイクロプリズム構造を使用してもよい。そのような例には、コーナーキューブ、図１７の光制御層１３２０に示されるような底部が正方形のピラミッド型マイクロプリズム、あるいはさらに一般的には、図１８の光制御層１４２０に見られる底部が六角形のピラミッド型マイクロプリズムなど、底部が多角形のピラミッド型マイクロプリズムが挙げられる。
【０１０９】
図１９は、マイクロプリズム構造に類似した構造を有するが、マイクロプリズムの代わりにドーム型表面構造を有するレンズ状部１５２１の配列を含む光制御層１５２０を示す。
【０１１０】
図１２〜図１９に関連して上記したように、（他の形態の光制御層も考えられるが）カラーシフト要素及び光制御層を有するセキュリティ手段を含むセキュリティ文書基材を設けることができる。光制御層の一部を、例えば、樹脂の付加によって選択的に変更するか、レーザ切断などの工程を用いて光制御層の一部を選択的に除去するか変形することによって選択的に変更することができる。
【０１１１】
上記の例では、セキュリティ手段は、カラーシフト要素のほぼ全体を覆う光制御層を備える。しかし、光制御層がカラーシフト要素の一部のみを覆う場合には、セキュリティ文書基材内に一体化されたセキュリティ手段を設けることができると考えられる。これは、例えば、カラーシフト要素の覆われていない部分が、後に個人化されるセキュリティ文書の各々に共通の所望の証印の大部分を形成する場合、光制御層の変更を通してさらに効率的な証印の生成を可能にし得る。
【０１１２】
本発明を使用してセキュリティ文書を作成する例示的な方法を、図２０のフローチャートに要約することができる。ステップ１６０１では、ブランクセキュリティ手段を備えるセキュリティ文書基材が設けられる。セキュリティ手段は、カラーシフト要素と光制御層とを備え、セキュリティ文書基材内に一体化される。上記のように、「ブランク」セキュリティ手段とは、各「ブランク」セキュリティ手段が目視者に対して同一の光学的効果を示すように光制御層が変更されていないものである。光制御層は、カラーシフト要素のほぼ全体を覆うか、カラーシフト要素のほんの一部を覆ってもよい。ブランクセキュリティ手段をそれぞれが備える複数のそのようなセキュリティ文書基材をセキュリティ文書製造業者に提供することができることが考えられる。
【０１１３】
カラーシフト要素及び／又は完成セキュリティ手段は、セキュリティ文書基材内に直接（例えば、識別基材の積層体層の一部として）形成することができるか、あるいはその後、そのような文書に適用するか組み込むことができるセキュリティスレッド、ストリップ又はパッチなどのセキュリティ物品の一部として供給してもよい。
【０１１４】
ステップ１６０２では、ブランクセキュリティ手段の一部が選択的に変更される。さらに具体的には、セキュリティ手段の光制御層の一部が選択的に変更される。上記のように、選択的変更は、光制御層に材料を導入するステップ、光制御層の一部を除去するステップ及び光制御層の一部を変形させるステップのうちの１つ又は複数によって実施され得る。選択的変更は、典型的には、セキュリティ手段の変更部分及び未変更部分によって提供される光学的効果が異なることによりセキュリティ手段を傾けたときに視認できるセキュリティ手段上に証印を形成するために、実施される。セキュリティ文書製造業者は、ブランクセキュリティ手段をそれぞれが備える複数のセキュリティ文書基材を受け取ると、複数の固有の個人用セキュリティ文書を提供するためにセキュリティ手段を選択的に変更することができると考えられる。例えば、ブランクセキュリティ手段は、各パスポートの所持者に関する固有の生体認証データを規定するために選択的に変更されてもよい。
【０１１５】
ステップ１６０３では、工程は、切断工程、積層工程及びバッチ処理工程など、セキュリティ文書に適用される最後の「仕上げ」工程で終了する。
【０１１６】
上記のように、個人用セキュリティ文書を、セキュリティ文書基材内の「ブランク」セキュリティ手段の「ブランク」光制御層を選択的に変更することによって製造してもよい。選択的に変更することができるこのような基材の例を、図２１〜図２４を参照して以下で説明する。
【０１１７】
図２１は、ここでは紙幣基材の形態の例示的なセキュリティ文書基材２１００を示す。図２１ａは紙幣基材を平面図で示し、図２１ｂは同一紙幣基材を線Ｑ-Ｑ′に沿った断面で示す。この場合、紙幣は、透明基材２１０２を有するポリマー（又はハイブリッドポリマー／紙）紙幣である。２つの不透明層２１０３ａ及び２１０３ｂが透明基材２１０２の両側に付与される。これは、白インクのような不透明コーティングの形態をとってもよく、あるいは基材２１０２に積層された紙の層であってもよい。
【０１１８】
不透明層２１０３ａ及び２１０３ｂは、ブランクセキュリティ手段１００が配置される窓を形成するエリア２１０１では除外される。図２１ｂの断面図に最もよく示されているように、カラーシフト要素１０を透明基材２１０２の一方の側に設け、光制御層２０を基材の反対側の面に設けて、その結果、カラーシフト要素からの光が光制御層と相互作用する（しかし、カラーシフト要素及び光制御層は、これとは別に基材の同一面上に設けられてもよい）。カラーシフト要素１０及び光制御層２０はそれぞれ、開示された実施形態のいずれかに関して上記で説明した通りであり、その結果、ブランク手段１００は、手段を傾けると窓２１０１に光学的可変効果を表示する。ブランクセキュリティ手段１００は、透過又は反射によって見ることができる。反射によって見られる場合には、部分的に透明なカラーシフト要素を、上記のように吸収要素と共に使用してもよいが、光学的可変顔料を含む印刷インクのような実質的に不透明なカラーシフト要素を使用することが望ましい。
【０１１９】
図２２は、セキュリティスレッドの形態のセキュリティ物品２１０５を備えた従来の紙ベースの紙幣の形態のセキュリティ文書基材を示す。この基材は、製紙中に部分的に紙に埋設され、紙２１０４の一部がスレッドの両側にあるように製紙中に挿入される。これは、製紙工程中に窓領域に紙が形成されず、このため、紙の層の間に組み込まれるセキュリティスレッドを露出させることが、欧州特許第００５９０５６号明細書に記載される技術を使用して実施することができる。セキュリティスレッド２１０５は、紙幣の窓領域２１０１に露出している。これとは別に、窓領域２１０１は、例えば、スレッドの挿入後にこのような領域の紙の表面を研磨することによって形成されてもよい。ブランクセキュリティ手段１００は、一方の側に光制御層２０が設けられ、他方の側にカラーシフト要素１０が設けられた透明基材を含むスレッド２１０５に形成される。図２２ｂでは、カラーシフト要素と光制御層は両方とも、光制御層と露光窓領域の位置合わせが必要とされないように、スレッド２１０５の両側に沿って連続的に設けられる。
【０１２０】
図２３では、セキュリティ文書基材２１００はここでも、従来の紙ベースの紙幣であり、ストリップ要素又はインサート２１０８を備える。ストリップ２１０８は透明な基材に基づくものであり、２枚の紙２１０９ａと２１０９ｂとの間に挿入される。ブランクセキュリティ手段１００は、ストリップ基材の一方の側にある光制御層２０と、他方の側にあるカラーシフト要素１０とによって形成される。紙２１０９ａ及び２１０９ｂは領域２１０１を横切って開口され、ブランクセキュリティ手段１００を露出させる。このブランクセキュリティ手段は、この場合はストリップ２１０８の全体にわたって存在してもよく、あるいは開口領域２１０１内に局在化されてもよい。カラーシフト要素１０は、ストリップ２１０８の透明性によって、光制御層２０を通して視認可能である。
【０１２１】
別の例が図２４に示されており、図２４ａ及び図２４ｂはそれぞれ、セキュリティ文書基材２１００の前面及び後面を示し、図２４ｃは線Ｑ-Ｑ′に沿った断面図である。セキュリティ物品２１１０は、上記の実施形態のいずれかによるブランクセキュリティ手段１００を備えるストリップ又はバンドである。セキュリティ物品２１１０は、欧州特許出願公開第１１４１４８０号明細書に記載される方法を用いて、繊維質基材２１０２を含むセキュリティ文書基材２１００に形成される。ストリップは、文書の片側で全体的に露出され（図２４ａ）、文書の反対側の１つ又は複数の窓２１０１で露出される（図２４ｂ）ように、セキュリティ文書に組み込まれる。ここでも、ブランクセキュリティ手段は、一方の面に形成された光制御層２０及び他方の面に形成されたカラーシフト要素１０を有する透明基材を含むストリップ２１１０上に形成される。
【０１２２】
図２１〜図２４の例では、カラーシフト要素及び光制御層は、透明基材の両側にあると説明される。しかし、他の例では、透明基材の同一側に設けられてもよい。有利には、光制御層及びカラーシフト要素は、窓付き領域との位置合わせが必要とされないように、図２１から図２４の例にて連続的に設けられる。
【図１ａ】
2020508898.tif 000003
【図１ｂ】
2020508898.tif 000004
【図１ｃ】
2020508898.tif 000005
【図１ｄ】
2020508898.tif 000006
【図２】
2020508898.tif 000007
【図３】
2020508898.tif 000008
【図４】
2020508898.tif 000009
【図５】
2020508898.tif 000010
【図６】
2020508898.tif 000011
【図７ａ】
2020508898.tif 000012
【図７ｂ】
2020508898.tif 000013
【図８ａ】
2020508898.tif 000014
【図８ｂ】
2020508898.tif 000015
【図９】
2020508898.tif 000016
【図１０】
2020508898.tif 000017
【図１１】
2020508898.tif 000018
【図１２】
2020508898.tif 000019
【図１３】
2020508898.tif 000020
【図１４】
2020508898.tif 000021
【図１５】
2020508898.tif 000022
【図１６】
2020508898.tif 000023
【図１７】
2020508898.tif 000024
【図１８】
2020508898.tif 000025
【図１９】
2020508898.tif 000026
【図２０】
2020508898.tif 000027
【図２１ａ】
2020508898.tif 000028
【図２１ｂ】
2020508898.tif 000029
【図２２ａ】
2020508898.tif 000030
【図２２ｂ】
2020508898.tif 000031
【図２３ａ】
2020508898.tif 000032
【図２３ｂ】
2020508898.tif 000033
【図２４ａ】
2020508898.tif 000034
【図２４ｂ】
2020508898.tif 000035
【図２４ｃ】
2020508898.tif 000036
【国際調査報告】
2020508898.tif 000037
2020508898.tif 000038
2020508898.tif 000039